(57)【要約】【課題】新たな共通テーブルに基づき、ＬＡＮにより各社員のパーソナルコンピュータの電話番号表やアドレス帳の書き換えを、各社員個人の設定したデータを喪失せずに効率的に行うことが可能なデータ書き換えシステムを提供する。【解決手段】サーバ１は、社内のＬＡＮを介して、社員毎の端末の管理を行い、入力される新ファイル及び削除ファイルを各々新ファイル記憶部４，削除ファイル記憶部５へ書き込み、変更対象ファイルを変更対象ファイル記憶部６へ書き込む。差分データ抽出部２は、変更対象ファイルの識別子及び対応データから、新ファイル及び削除ファイルの識別子及び対応データの何れかと同一のデータを含むレコードを削除することにより、各端末に固有な個別テーブルの差分データを抽出する。変更ファイル作成部３は、差分データ抽出部２の抽出した個別テーブルと、新ファイルの共通テーブルとをマージし、各端末の変更対象ファイルに上書きする。【選択図】　　　図１
2004070632.tif 000002
【特許請求の範囲】
【請求項１】
識別子とこの識別子に対応する対応データとの関係を示すテーブルにおいて、識別子及び対応データの書き換えを行うデータ書き換えシステムであり、
新しいテーブルのデータが記憶された新ファイルを記憶する第１の記憶部と、古いテーブルの中で削除する識別子及び対応データが記載された削除データファイルを記憶する第２の記憶部と、
書き換え対象の古いテーブルが記載された変更対象ファイルを一時格納する第３の記憶部と、
前記新ファイル及び削除ファイルと、変更対象ファイルとにおける、識別子及び対応データの差分データを抽出する差分データ抽出部と、
この差分データを前記新ファイルの新しいテーブルに追加して、変更ファイルとする変更ファイルを出力する変更ファイル作成部と
を具備することを特徴とするデータ書き換えシステム。
【請求項２】
前記差分データ抽出部が、変更対象ファイルの識別子及び対応データから、新ファイル及び削除ファイルに含まれる識別子及び対応データと同一データを削除することにより、前記差分データを抽出することを特徴とする請求項１記載のデータ書き換えシステム。
【請求項３】
識別子とこの識別子に対応する対応データとの関係を示すテーブルにおいて、識別子及び対応データの書き換えを行うデータ書き換え方法であり、
新しいテーブルのデータが記憶された新ファイルを、第１の記憶部に記憶する過程と、
古いテーブルの中で削除する識別子及び対応データが記載された削除データファイルを、第２の記憶部に記憶する過程と、
書き換え対象の古いテーブルが記載された変更対象ファイルを、第３の記憶部に一時格納する過程と、
前記新ファイル及び削除ファイルと、変更対象ファイルとにおける、識別子及び対応データの差分データを抽出する過程と、
この差分データを前記新ファイルの新しいテーブルに追加して、変更ファイルとして出力する過程と
を有することを特徴とするデータ書き換え方法。
【請求項４】
識別子とこの識別子に対応する対応データとの関係を示すテーブルにおいて、識別子及び対応データの書き換えを行うデータ書き換えプログラムであり、
新しいテーブルのデータが記憶された新ファイルを、第１の記憶部に記憶する処理と、
古いテーブルの中で削除する識別子及び対応データが記載された削除データファイルを、第２の記憶部に記憶する処理と、
書き換え対象の古いテーブルが記載された変更対象ファイルを、第３の記憶部に一時格納する処理と、
前記新ファイル及び削除ファイルと、変更対象ファイルとにおける、識別子及び対応データの差分データを抽出する処理と、
この差分データを前記新ファイルの新しいテーブルに追加して、変更ファイルとして出力する処理と
を有し、請求項１または請求項２記載のデータ書き換えシステムで動作するデータ書き換えプログラム。
【発明の詳細な説明】
【０００１】
【発明の属する技術分野】
本発明は、ファイルのデータの変更システムに係わるものである。
【０００２】
【従来の技術】
近年、企業などにおいて、社員各自がパーソナルコンピュータを用いて業務を行うようになってきている。
このため、社員がパーソナルコンピュータからＦＡＸや電子メールを送る機会が増加しているため、管理部門が、社員同士や取引先等にＦＡＸ及び電子メールを送るための電話（ＦＡＸ：ファックス）番号表，電子メールアドレスの定期的な管理を行っている。
この管理においては、取引先及び社員の電話番号または電子メールのアドレスが変更された場合、社員が会社を辞めた場合などにおいて、管理部門がパーソナルコンピュータに記憶された電話番号表やアドレス帳の対応するデータを変更する。
【０００３】
【発明が解決しようとする課題】
しかしながら、上述した電話番号表及びアドレス帳が管理部門の管理しているデータ、すなわち、管理部門が管理している社員や取引先の共通データのみであればよいが、通常、各自が各々対応している取引先や取引先の社員個人の電話番号や電子メールアドレスが電話番号表やアドレス帳に記憶されている。
そのため、各社員の個人データを消去してしまうことになるため、管理部門がＬＡＮ等を用いて、一括して全社員の電話番号表やアドレス帳を新しいものと変更することができない。
【０００４】
したがって、従来の電話番号表やアドレス帳の書き換えは、社員各々が管理部から転送される共通データのファイルに個人持ちの電話番号や電子メールアドレスを書き込み、ファイルの書き換えを行う必要があるため、写し間違いやデータ喪失の危険性があり、さらに書換のための工数が発生することになる。
【０００５】
本発明はこのような背景の下になされたもので、新たな共通テーブルに基づき、ＬＡＮにより各社員のパーソナルコンピュータの電話番号表やアドレス帳の書き換えを、各社員個人の設定したデータを喪失せずに効率的に行うことが可能なデータ書き換えシステムを提供する事にある。
【０００６】
【課題を解決するための手段】
本発明のデータ書き換えシステムは、識別子とこの識別子に対応する対応データとの関係を示すテーブルにおいて、識別子及び対応データの書き換えを行うデータ書き換えシステムであり、新しいテーブルのデータが記憶された新ファイルを記憶する第１の記憶部（新ファイル記憶部４）と、古いテーブルの中で削除する識別子及び対応データが記載された削除データファイルを記憶する第２の記憶部（削除ファイル記憶部５）と、書き換え対象の古いテーブルが記載された変更対象ファイルを一時格納する第３の記憶部（変更対象ファイル記憶部６）と、前記新ファイル及び削除ファイルと、変更対象ファイルとにおける、識別子及び対応データの差分データを抽出する差分データ抽出部（差分データ抽出部２）と、この差分データを前記新ファイルの新しいテーブルに追加して、変更ファイルとする変更ファイルを出力する変更ファイル作成部（変更ファイル作成部３）とを具備することを特徴とする。
本発明によれば、差分データとして各社員（個人）の固有のデータを抽出することができ、この差分データを全ての社員に共通なテーブルのデータに追加することにより、各社員の電話番号表やアドレス帳を書きかえることが可能となるため、ＬＡＮにより各社員のパーソナルコンピュータの電話番号表やアドレス帳の書き換えを行うことができ、従来のように書き換えのために余分な工数が発生することがなく、事務作業の効率が向上する。
また、本発明によれば、電話番号表やアドレス帳に対する個人データを書かないようにする制約を実行することなく、各社員の利便性が向上する。
【０００７】
本発明のデータ書き換えシステムは、前記差分データ抽出部が、変更対象ファイルの識別子及び対応データから、新ファイル及び削除ファイルに含まれる識別子及び対応データと同一データを削除することにより、前記差分データを抽出することを特徴とする。
本発明によれば、変更対象となる各社員各々の古いテーブルから、新ファイル及び削除ファイルに記載されていない識別子及び対応データが抽出できるため、容易に、各社員毎に各々固有のデータが含まれ、新たな識別子及び対応データの内容に変更された変更ファイルを作成することが可能となる。
【０００８】
本発明のデータ書き換え方法は、識別子とこの識別子に対応する対応データとの関係を示すテーブルにおいて、識別子及び対応データの書き換えを行うデータ書き換え方法であり、新しいテーブルのデータが記憶された新ファイルを、第１の記憶部に記憶する過程と、古いテーブルの中で削除する識別子及び対応データが記載された削除データファイルを、第２の記憶部に記憶する過程と、書き換え対象の古いテーブルが記載された変更対象ファイルを、第３の記憶部に一時格納する過程と、前記新ファイル及び削除ファイルと、変更対象ファイルとにおける、識別子及び対応データの差分データを抽出する過程と、この差分データを前記新ファイルの新しいテーブルに追加して、変更ファイルとして出力する過程とを有することを特徴とする。
【０００９】
本発明のデータ書き換えプログラムは、識別子とこの識別子に対応する対応データとの関係を示すテーブルにおいて、識別子及び対応データの書き換えを行う、上記データ書き換えシステムで動作するデータ書き換えプログラムであり、新しいテーブルのデータが記憶された新ファイルを、第１の記憶部に記憶する処理と、古いテーブルの中で削除する識別子及び対応データが記載された削除データファイルを、第２の記憶部に記憶する処理と、書き換え対象の古いテーブルが記載された変更対象ファイルを、第３の記憶部に一時格納する処理と、前記新ファイル及び削除ファイルと、変更対象ファイルとにおける、識別子及び対応データの差分データを抽出する処理と、この差分データを前記新ファイルの新しいテーブルに追加して、変更ファイルとして出力する処理とを有することを特徴とする。
【００１０】
【発明の実施の形態】
本発明は、共通テーブルにおけるデータの変更に伴い、各社員の所有する端末に記憶された、各端末（各社員）毎に固有のデータを含む電話番号表やアドレス帳のようなテーブルの共通テーブル部分の書き換えを行う場合、各端末（各社員）毎に固有の個別テーブルのデータを残し、変更された共通テーブル部分のみを書きかえるデータ書き換えシステムである。
【００１１】
以下、図面を参照して本発明の実施形態について説明する。図１は本発明の一実施形態によるデータ変更システムの構成を示すブロック図である。
この図において、サーバ１は、社内のＬＡＮ（ローカルエリアネットワーク）を介して、各社員毎が所有する端末の管理を行う。
また、サーバ１は、入力装置（フレキシブルディスクやコンパクトディスク等）から読み込まれたり、上記ＬＡＮ経由で入力される新ファイル及び削除ファイルを各々新ファイル記憶部４，削除ファイル記憶部５へ書き込み、各端末の変更対象のファイルを変更対象ファイル記憶部６へ書き込む。
【００１２】
ここで、新ファイルには、社員の全員に対して供給される共通テーブル、すなわち、更新された識別子と対応データとの新しいテーブルが記載されている。
ここで、各ファイルのテーブルにおいては、識別子として社員番号が用いられ、この社員の所属部署、内線番号などの対応データがテーブル形式で記載されている。
【００１３】
削除ファイルには、社員の全員の変更対象ファイルから共通に削除する識別子及び対応データ、すなわち古い共通部分から削除されるデータが記載されている。
変更対象ファイルは、各端末の記憶部に記憶されている古い共通テーブル部分と、各端末に固有な個別テーブル部分とを有する電話番号表やアドレス帳などのテーブルが示されたファイルである。
【００１４】
差分データ抽出部２は、変更対象ファイルの識別子及び対応データから、新ファイル及び削除ファイルに含まれる識別子と同一の識別子を含むレコード、あるいは識別子及び対応データのいずれかと同一のデータを含むレコードを削除することにより、各端末に固有な個別テーブルのレコード部分（差分データ）を抽出する。
ここで、識別子のみを含むレコードを削除するか、あるいは識別子及び対応データのいずれかと同一のデータを含むレコードを削除するかは、テーブル形式及びテーブルを構成する各データの関係によりあらかじめ設定される。
すなわち、差分データ抽出部２は、新ファイルと削除ファイルとの双方に含まれるデータと一致するデータを、変更対象ファイルから除くことにより、各端末固有の個別テーブルのみを抽出している。
変更ファイル作成部３は、差分データ抽出部２の抽出した個別テーブルと、新ファイルの共通テーブルとをマージして（１つのテーブルにまとめて）、ＬＡＮを介して、各端末の所定のファイル（変更対象ファイル）に上書きする。
【００１５】
次に、図１及び図２を参照し、一実施形態の動作例を説明する。図２は、本発明のデータ書き換えシステムの動作例を示すフローチャートである。
＜第１の動作例＞
電話番号表のテーブルを対象として、一実施形態のデータ書き換えシステムの動作を説明する。
各端末に記憶される電話番号表には、社員番号を識別子として、氏名，所属部署，内線番号がレコード単位で記載されている。
ここで、上記電話番号表は、全社的に使用する共通部分、例えば、各グループの代表者や特定の作業を行う担当者等が記載されたレコードからなる共通テーブル部分と、各端末を所有する社員が個人的に関係する他の社員が記載されたレコードからなる個別テーブルの２つの部分から構成されている。
【００１６】
ステップＳ１において、管理者が、組織変更のため、電話番号表の共通テーブル部分を、新しい共通テーブルに変更するため、サーバ１において、データ書き換えシステムを起動する。
サーバ１は、新ファイルを読み込み、この新ファイルにおける共通テーブルのレコードを、全て新ファイル記憶部４に書き込む。
次に、ステップＳ２において、サーバ１は、削除ファイルを読み込み、この削除ファイルにおける削除する社員番号，氏名，所属部署，内線番号のデータの全てを削除ファイル記憶部５に書き込む。
【００１７】
そして、ステップＳ３において、サーバ１は、ＬＡＮを介して、図示しない社員のデータベースにおける社員番号順に端末を選択し、この選択された端末の変更対象ファイル（記憶部に記憶された電話番号表）を読み出し、テーブルにある全てのレコードを変更対象ファイル記憶部６へ書き込む。
ここで、サーバ１は、社員番号順に、端末１台ごとに、テーブルの書き換え処理を行う。
そのため、変更対象ファイルには、常に、端末１台分のテーブルのレコードが記憶されていることになる。
【００１８】
次に、ステップＳ４において、差分データ抽出部２は、新ファイル記憶部４に記憶された新ファイルと、削除ファイル記憶部５に記憶された削除ファイルとに記載されている社員番号と一致するデータの含まれるレコードを、変更対象ファイル記憶部６に記憶された変更対象ファイルのテーブルから削除し、個別テーブルのデータを抽出する。
そして、ステップＳ５において、変更ファイル作成部３は、変更対象ファイル記憶部６の変更対象ファイルに新ファイルを上書きし、この新ファイルの共通テーブルと、上記個別テーブルとをマージして（共通テーブルに個別テーブルを追加して）、変更ファイルを作成する。
【００１９】
次に、ステップＳ６において、変更ファイル作成部３は、作成した上記変更ファイルを、ステップＳ３で読み込んだ端末に、新しい電話番号表のファイルとして上書きする。
そして、ステップＳ７において、サーバ１は、図示しない社員番号のデータベースを検索し、次の社員番号の社員を検出した場合、処理をステップＳ３へ戻す。
【００２０】
次に、ステップＳ３において、サーバ１は、この社員番号に対応する社員の所有する端末から、電話番号表を変更対象ファイルとして読み出し、変更対象ファイル記憶部６へ書き込む。
そして、上述したステップＳ３からステップＳ７の処理が繰り返され、ステップＳ７において、サーバ１が社員のデータベースにある社員番号全ての処理を終了、すなわち変更する変更対象ファイルがないことを検出すると、データ変更の処理を終了する。
【００２１】
上述した処理により、本発明のデータ書き換えシステムは、部門が変更になった社員及び状態がそのままの社員（新しい共通テーブルに示される）及び会社を辞めた社員（削除ファイルに示される）との双方が、変更対象ファイルから削除され、各端末に固有な個別テーブル部分のみが差分データとして得ることができ、この個別テーブル部分を新しい共通テーブルにマージすることで、各端末の共通部分のみの変更を、ＬＡＮを介して管理者が行うことができる。
【００２２】
＜第２の動作例＞
第１の動作例と同様に、図１及び図２を参照して説明する。
Ｗｉｎｄｏｗｓ９５（登録商標）などのＯＳにおいては、ルータを越えてファイルの共有を行う場合など、直接ＩＰ（インターネットプロトコル）アドレスを定義できないため、端末のコンピュータ名（識別子）とＩＰアドレス（対応データ）との対応関係が記載されたｌｍｈｏｓｔｓという対応テーブルのファイルがある。
【００２３】
人事異動などで、端末のおかれている位置とＩＰアドレスとが変わることにより行われる社内ＬＡＮシステムの変更において、各端末に個々に記憶されているｌｍｈｏｓｔｓを書きかえようとする場合、第１の動作例と同様に、この個々の端末に記憶されたｌｍｈｏｓｔｓには、社内の全端末に共通に使用されるコンピュータ名とＩＰアドレスとの対応関係を示す共通テーブル部分と、各端末を使用する社員が個人的に設定した個別テーブル部分とが存在する。
【００２４】
したがって、管理者がＬＡＮを介して、一括して全端末のｌｍｈｏｓｔｓの対応テーブルを書きかえようとすると、各端末を使用する社員の追加していた個別テーブルのデータが消去されてしまうこととなる。
また、管理者が１台ずつｌｍｈｏｓｔｓを書きかえて行く従来の方法を用いるとすると、膨大な工数がかかり、かつ修正ミスが発生し易いという問題が発生する。
【００２５】
このため、本願発明は、上述した問題を解決するため、動作例１と同様な処理により、各端末毎にｌｍｈｏｓｔｓのデータの修正を行う。
ステップＳ１において、管理者が、組織変更のため、ｌｍｈｏｓｔｓの共通テーブル部分を、新しい共通テーブルに変更するため、サーバ１において、データ書き換えシステムを起動する。
【００２６】
サーバ１は、Ｍａｓｔｅｒ．ｌｍｈ（新ファイル）を読み込み、このＭａｓｔｅｒ．ｌｍｈにおける共通テーブルのレコードを、全て新ファイル記憶部４に書き込む。
次に、ステップＳ２において、サーバ１は、Ｄｅｌｅｔｅ．ｌｍｈ（削除ファイル）を読み込み、このＤｅｌｅｔｅ．ｌｍｈにおける削除するコンピュータ名，ＩＰアドレスのデータの全てを削除ファイル記憶部５に書き込む。
【００２７】
そして、ステップＳ３において、サーバ１は、ＬＡＮを介して、コンピュータ名の図示しないデータベースのレコード順に端末を選択し、選択された端末のｌｍｈｏｓｔｓ（変更対象ファイル）を読み出し、テーブルにある全てのレコードを変更対象ファイル記憶部６へ書き込む。
ここで、サーバ１は、データベースのレコード順に、端末１台ごとに、テーブルの書き換え処理を行う。
そのため、変更対象ファイル記憶部６には、常に、端末１台分のテーブルのレコードが記憶されていることになる。
【００２８】
次に、ステップＳ４において、差分データ抽出部２は、新ファイル記憶部４に記憶されたＭａｓｔｅｒ．ｌｍｈと、削除ファイル記憶部５に記憶されたＤｅｌｅｔｅ．ｌｍｈとに記載されているコンピュータ名，ＩＰアドレスと一致するデータの含まれるレコードを、変更対象ファイル記憶部６に記憶されたｌｍｈｏｓｔｓのテーブルから削除し、個別テーブルのデータを抽出する。
そして、ステップＳ５において、変更ファイル作成部３は、変更対象ファイル記憶部６のｌｍｈｏｓｔｓにＭａｓｔｅｒ．ｌｍｈを上書きし、このＭａｓｔｅｒ．ｌｍｈの共通テーブルと、上記個別テーブルとをマージして（共通テーブルに個別テーブルを追加して）、変更ファイルを作成する。
【００２９】
次に、ステップＳ６において、変更ファイル作成部３は、作成した上記変更ファイルを、ステップＳ３で読み込んだ端末に、新しいｌｍｈｏｓｔｓのファイルとして上書きする。
そして、ステップＳ７において、サーバ１は、図示しないコンピュータ名のデータベースを検索し、次のレコードのコンピュータ名を検出した場合、処理をステップＳ３へ戻す。
【００３０】
次に、ステップＳ３において、サーバ１は、このコンピュータ名に対応する社員の使用する端末から、ｌｍｈｏｓｔｓを変更対象ファイルとして読み出し、変更対象ファイル記憶部６へ書き込む。
そして、上述したステップＳ３からステップＳ７の処理が繰り返され、ステップＳ７において、サーバ１がコンピュータ名のデータベースにあるレコード（コンピュータ名の記載されたレコード）全ての処理を終了、すなわち変更する変更対象ファイルがないことを検出すると、データ変更の処理を終了する。
【００３１】
ここで、上述した第２の動作例において、サーバ１が各社員の使用する端末におけるｌｍｈｏｓｔｓの対応テーブルを書きかえる方式を説明してきた。
しかしながら、この第２の動作例において、Ｗｉｎｄｏｗｓ９５等のＯＳを搭載した、社員の使用する端末（例えば、クライアントＰＣ（パーソナルコンピュータ））で実行されるユーティリティプログラム（対応テーブルの変換を行うプログラム）によって、上記端末がサーバ１におけるデータベースの変更すべき共通テーブル部分（Ｍａｓｔｅｒ．ｌｍｈ及びＭａｓｔｅｒ．ｌｍｈ）を参照して、個別テーブル部分のデータを抽出することで、この個別テーブル部分のデータを除いて、各々のｌｍｈｏｓｔｓの対応テーブルにおける共通テーブル部分のデータのみを編集する方式とすることも可能である。
【００３２】
上述してきたように、本発明のデータ書き換えシステムは、差分データ抽出部２が新ファイル記憶部４に記憶される新ファイルと、削除ファイル記憶部５に記憶される削除ファイルとに基づき、修正を必要としない差分データとして各社員（個人）の固有の個別テーブルのデータを抽出することができ、変更ファイル作成部３がこの個別テーブルを全ての社員に共通な共通テーブルのデータに追加することにより、各社員が固有に設定した電話番号表やアドレス帳及びｌｍｈｏｓｔｓのファイル（対応テーブル）を書きかえることが可能となるため、ＬＡＮにより各社員のパーソナルコンピュータの電話番号表やアドレス帳及びｌｍｈｏｓｔｓ等のファイルの書き換えを、各社員の設定した個別テーブルの部分を変更せずに行うことができ、従来のように書き換えのために余分な工数が発生することがなく、修正ミスが発生することもなく、事務作業の効率が向上する。
また、本発明によれば、電話番号表やアドレス帳及びｌｍｈｏｓｔｓに対する個人データを書かないようにする制約を実行することなく、各社員の利便性が向上する。
【００３３】
また、上述してきた一実施形態とに示す動作を実現するためのプログラムを、各々コンピュータ読み取り可能な記録媒体に記録して、この記録媒体に記録されたプログラムをコンピュータシステムに読み込ませ、実行することにより位置依存性情報の配信処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
【００３４】
さらに「コンピュータ読み取り可能な記録媒体」とは、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３５】
以上、本発明の一実施形態を図面を参照して詳述してきたが、具体的な構成はこの実施形態に限られるものではなく、本発明の要旨を逸脱しない範囲の設計変更等があっても本発明に含まれる。
【００３６】
【発明の効果】
本発明によれば、差分データとして各社員（個人）の固有の個別テーブルのデータを抽出することができ、この差分データを全ての社員に共通な共通テーブルのデータに追加することにより、各社員の電話番号表やアドレス帳を書きかえることが可能となるため、ＬＡＮにより各社員のパーソナルコンピュータの電話番号表やアドレス帳の書き換えを行うことができ、従来のように書き換えのために余分な工数が発生することがなく、人手による修正による修正ミスの発生を抑えることができ、事務作業の効率が向上する。
また、本発明によれば、電話番号表やアドレス帳に対する個人データを書かないようにする制約を実行することなく、各社員の利便性が向上する。
【図面の簡単な説明】
【図１】本発明の一実施形態によるデータ書き換えシステムの構成例を示すブロック図である。
【図２】図１のデータ書き換えシステムの動作例を示すフローチャートである。
【符号の説明】
１…サーバ、２…差分データ抽出部、３…変更ファイル作成部、４…新ファイル記憶部、５…削除ファイル記憶部、６…変更対象ファイル記憶部
【図１】
2004070632.tif 000003
【図２】
2004070632.tif 000004